(57)【要約】【課題】カメラ側の負荷を軽減し、有効なカメラ撮影支援および良好なカメラ撮影を可能にするカメラ撮影支援システムおよび方法とそれに用いる携帯通信端末を提供する。【解決手段】移動通信ネットワーク３０に接続する携帯通信端末１０は、撮影条件を設定可能なカメラ２０と無線接続するための近距離通信手段１０５と、携帯通信端末の現在位置を検出する位置検出手段１０２と、現在位置に依存して決定されたカメラ２０の撮影条件データを格納する格納手段１０３と、カメラ２０との近距離接続通信が可能になると撮影条件データをカメラ２０へ送信する制御手段１０６と、を有する。【選択図】図１
2010130037.tif 000002
【特許請求の範囲】
【請求項１】
移動通信ネットワークに接続する携帯通信端末であって、
撮影条件を設定可能なカメラと無線接続するための近距離通信手段と、
前記携帯通信端末の現在位置を検出する位置検出手段と、
前記現在位置に依存して決定された前記カメラの撮影条件データを格納する格納手段と、
前記カメラとの近距離接続通信が可能になると前記撮影条件データを前記カメラへ送信する制御手段と、
を有することを特徴とする携帯通信端末。
【請求項２】
前記制御手段は、前記現在位置が撮影推奨エリア内に入ると、前記携帯通信端末に設けられた報知手段を起動することを特徴とする請求項１に記載の携帯通信端末。
【請求項３】
前記制御手段は、前記現在位置の情報を前記移動通信ネットワークを介して特定のサーバへ送信し、前記現在位置が前記撮影推奨エリア内にあれば、前記サーバから当該撮影推奨エリアでの撮影条件データを前記移動通信ネットワークを介して受信し、前記格納手段に格納することを特徴とする請求項１または２に記載の携帯通信端末。
【請求項４】
前記現在位置が前記撮影推奨エリア内にあるか否かを判定するエリア判定手段を更に有し、
前記制御手段は、前記現在位置が前記撮影推奨エリア内にあれば、前記撮影推奨エリアの情報を前記移動通信ネットワークを介して特定のサーバへ送信し、前記サーバから当該撮影推奨エリアでの撮影条件データを前記移動通信ネットワークを介して受信し、前記格納手段に格納することを特徴とする請求項１または２に記載の携帯通信端末。
【請求項５】
前記現在位置が前記撮影推奨エリア内にあるか否かを判定するエリア判定手段と、
前記現在位置が前記撮影推奨エリア内にあれば、当該撮影推奨エリアでの撮影条件データを決定する撮影条件決定手段と、
を更に有し、前記制御手段は、前記決定された撮影条件データを前記格納手段に格納することを特徴とする請求項１または２に記載の携帯通信端末。
【請求項６】
移動通信ネットワークに接続する携帯通信端末を用いたカメラ撮影支援方法であって、
前記携帯通信端末は、撮影条件を設定可能なカメラと無線接続するための近距離通信手段と、前記携帯通信端末の現在位置を検出する位置検出手段と、を有し、
前記携帯通信端末あるいは前記移動通信ネットワークを通して接続可能なサーバのいずれかで、前記現在位置に依存して前記カメラの撮影条件データを決定し、
前記携帯通信端末が前記撮影条件データを前記携帯通信端末の格納手段に格納し、前記カメラとの近距離接続通信が可能になると前記格納手段の前記撮影条件データを前記カメラへ送信し、
前記カメラが前記受信した撮影条件データに従って撮影条件を設定する、
ことを特徴とするカメラ撮影支援方法。
【請求項７】
前記現在位置が撮影推奨エリア内に入ると、前記携帯通信端末に設けられた報知手段を起動することを特徴とする請求項６に記載のカメラ撮影支援方法。
【請求項８】
前記現在位置の情報を前記移動通信ネットワークを介して前記サーバへ送信し、前記現在位置が前記撮影推奨エリア内にあれば、前記サーバから当該撮影推奨エリアでの撮影条件データを前記移動通信ネットワークを介して受信し、前記格納手段に格納することを特徴とする請求項６または７に記載のカメラ撮影支援方法。
【請求項９】
前記携帯通信端末が前記現在位置が前記撮影推奨エリア内にあるか否かを判定し、
前記現在位置が前記撮影推奨エリア内にあれば、前記撮影推奨エリアの情報を前記移動通信ネットワークを介して前記サーバへ送信し、前記サーバから当該撮影推奨エリアでの撮影条件データを前記移動通信ネットワークを介して受信し、前記格納手段に格納することを特徴とする請求項６または７に記載のカメラ撮影支援方法。
【請求項１０】
前記携帯通信端末が、前記現在位置が前記撮影推奨エリア内にあるか否かを判定し、前記現在位置が前記撮影推奨エリア内にあれば当該撮影推奨エリアでの撮影条件データを決定し、前記決定された撮影条件データを前記格納手段に格納することを特徴とする請求項６または７に記載のカメラ撮影支援方法。
【請求項１１】
撮影条件を設定可能なカメラの撮影支援システムであって、
前記カメラと無線接続するための近距離通信手段と、前記携帯通信端末の現在位置を検出する位置検出手段とを有し、移動通信ネットワークに接続する携帯通信端末と、
前記携帯通信端末が前記移動通信ネットワークを通して接続可能なサーバと、
前記携帯通信端末あるいは前記サーバのいずれかで、前記現在位置に依存して前記カメラの撮影条件データを決定し、
前記携帯通信端末が前記撮影条件データを格納手段に格納し、前記カメラとの近距離接続通信が可能になると前記格納手段の前記撮影条件データを前記カメラへ送信し、
前記カメラが前記受信した撮影条件データに従って撮影条件を設定する、
ことを特徴とするカメラ撮影支援システム。
【請求項１２】
前記現在位置が撮影推奨エリア内に入ると、前記携帯通信端末に設けられた報知手段を起動することを特徴とする請求項１１に記載のカメラ撮影支援システム。
【請求項１３】
前記現在位置の情報を前記移動通信ネットワークを介して前記サーバへ送信し、前記現在位置が前記撮影推奨エリア内にあれば、前記サーバから当該撮影推奨エリアでの撮影条件データを前記移動通信ネットワークを介して受信し、前記格納手段に格納することを特徴とする請求項１１または１２に記載のカメラ撮影支援システム。
【請求項１４】
前記携帯通信端末が前記現在位置が前記撮影推奨エリア内にあるか否かを判定し、
前記現在位置が前記撮影推奨エリア内にあれば、前記撮影推奨エリアの情報を前記移動通信ネットワークを介して前記サーバへ送信し、前記サーバから当該撮影推奨エリアでの撮影条件データを前記移動通信ネットワークを介して受信し、前記格納手段に格納することを特徴とする請求項１１または１２に記載のカメラ撮影支援システム。
【請求項１５】
前記携帯通信端末が、前記現在位置が前記撮影推奨エリア内にあるか否かを判定し、前記現在位置が前記撮影推奨エリア内にあれば当該撮影推奨エリアでの撮影条件データを決定し、前記決定された撮影条件データを前記格納手段に格納することを特徴とする請求項１１または１２に記載のカメラ撮影支援システム。
【請求項１６】
移動通信ネットワークに接続する携帯通信端末のプログラム制御プロセッサをカメラ撮影支援システムとして機能させるプログラムであって、
前記携帯通信端末は、撮影条件を設定可能なカメラと無線接続するための近距離通信手段と、前記携帯通信端末の現在位置を検出する位置検出手段と、を有し、
前記プログラム制御プロセッサを、
前記携帯通信端末あるいは前記移動通信ネットワークを通して接続可能なサーバのいずれかで、前記現在位置に依存して前記カメラの撮影条件データを決定し、
前記携帯通信端末が前記撮影条件データを前記携帯通信端末の格納手段に格納し、前記カメラとの近距離接続通信が可能になると前記格納手段の前記撮影条件データを前記カメラへ送信する、
ように機能させることを特徴とするプログラム。
【発明の詳細な説明】
【技術分野】
【０００１】
本発明は撮像装置による撮影を支援するシステムに関する。
【背景技術】
【０００２】
デジタルカメラの普及に伴って、一般の撮影者でも良好な写真を簡単に撮影したいという要求が高まっている。これに対応するために、ネットワークを通して撮影スポット案内や撮影条件の自動設定が可能なカメラが種々提案されている。
【０００３】
たとえば、特許文献１に開示されたシステムでは、カメラにＧＰＳ(Global Positioning System)等の位置検出手段を設け、位置情報やその他方位、日時、天気情報などをサーバへ送信することで、サーバから当該位置でのベストショットおよびその撮影条件を受信してカメラに設定することができる。
【０００４】
また、特許文献２に開示された撮影条件設定機能付きカメラでは、ＧＰＳを利用して絶好の撮影地点へ撮影者を誘導する機能を設けると共に、データ提供サーバから撮影地点データおよび撮影条件データを受信してメモリに登録し、受信した撮影条件をカメラに設定する機能も設けられている。
【０００５】
【特許文献１】特開２００３−３４８５１９号公報
【特許文献２】特開２００２−２１４６８１号公報
【発明の開示】
【発明が解決しようとする課題】
【０００６】
しかしながら、通常、カメラの電源を常時オンしておくことは希であり、ユーザは撮影しようとする時にカメラの電源を入れることが多い。このような一般的な使用形態を考慮すれば、カメラに位置検出機能や撮影スポット案内機能を搭載しても有効な利用を図ることができないと考えられる。たとえば、撮影スポットへの案内機能を利用しようとすれば、カメラの電源を常にオンにしておく必要がある。ＧＰＳ等の付加的機能はカメラのバッテリ消費量を増大させるので、電源を常時オンにしておくことは、肝心の撮影時にバッテリ不足になる可能性を増大させる。逆に、カメラの電源をオフにすれば、撮影スポット案内や撮影条件の自動設定などの機能を利用できない。
【０００７】
また、カメラにＧＰＳなどの付加的機能を搭載することは、カメラのコスト、サイズ、重量を増大させ、カメラメーカにとっては商品化を困難にする原因ともなっている。
【０００８】
そこで、本発明の目的は、カメラ側の負荷を軽減し、有効なカメラ撮影支援および良好なカメラ撮影を可能にするカメラ撮影支援システムおよび方法とそれに用いる携帯通信端末を提供することにある。
【課題を解決するための手段】
【０００９】
本発明による携帯通信端末は、移動通信ネットワークに接続する携帯通信端末であって、撮影条件を設定可能なカメラと無線接続するための近距離通信手段と、前記携帯通信端末の現在位置を検出する位置検出手段と、前記現在位置に依存して決定された前記カメラの撮影条件データを格納する格納手段と、前記カメラとの近距離接続通信が可能になると前記撮影条件データを前記カメラへ送信する制御手段と、を有することを特徴とする。
【００１０】
本発明によるカメラ撮影支援方法は、移動通信ネットワークに接続する携帯通信端末を用いたカメラ撮影支援方法であって、前記携帯通信端末は、撮影条件を設定可能なカメラと無線接続するための近距離通信手段と、前記携帯通信端末の現在位置を検出する位置検出手段と、を有し、前記携帯通信端末あるいは前記移動通信ネットワークを通して接続可能なサーバのいずれかで、前記現在位置に依存して前記カメラの撮影条件データを決定し、前記携帯通信端末が前記撮影条件データを前記携帯通信端末の格納手段に格納し、前記カメラとの近距離接続通信が可能になると前記格納手段の前記撮影条件データを前記カメラへ送信し、前記カメラが前記受信した撮影条件データに従って撮影条件を設定する、ことを特徴とする。
【００１１】
本発明によるカメラ撮影支援システムは、撮影条件を設定可能なカメラの撮影支援システムであって、前記カメラと無線接続するための近距離通信手段と、前記携帯通信端末の現在位置を検出する位置検出手段とを有し、移動通信ネットワークに接続する携帯通信端末と、前記携帯通信端末が前記移動通信ネットワークを通して接続可能なサーバと、前記携帯通信端末あるいは前記サーバのいずれかで、前記現在位置に依存して前記カメラの撮影条件データを決定し、前記携帯通信端末が前記撮影条件データを格納手段に格納し、前記カメラとの近距離接続通信が可能になると前記格納手段の前記撮影条件データを前記カメラへ送信し、前記カメラが前記受信した撮影条件データに従って撮影条件を設定する、ことを特徴とする。
【発明の効果】
【００１２】
本発明によれば、カメラ側の負荷を軽減し、有効なカメラ撮影支援および良好なカメラ撮影を可能にする。
【発明を実施するための最良の形態】
【００１３】
本発明によれば、携帯通信端末とカメラの連携により、写真の撮影が推奨される場所で良い写真を撮影するための仕組みを提供することができる。携帯電話機などの携帯通信端末の加入者は、端末の電源を常時オンにして持ち歩くのが一般的であり、ＧＰＳ等を利用した位置検出機能を備えた携帯通信端末も普及している。
【００１４】
このような携帯通信端末を近距離無線通信機能によりカメラと連携させることで、位置検出機能、撮影スポット案内あるいは撮影条件設定などのカメラ撮影支援機能を、カメラ側の負荷を増大させることなく、有効に利用することが可能となる。以下、本発明の実施形態について詳細に説明する。
【００１５】
１．第１実施形態
１．１）構成
図１は本発明の第１実施形態によるカメラ撮影支援システムの全体的な構成を概略的に示すブロック図である。本実施形態では、移動局としての携帯通信端末１０がサーバ５０から撮影推奨エリアデータおよび撮影条件データを取得する。ユーザは携帯通信端末１０およびカメラ２０の両方を持ち歩いており、少なくとも携帯通信端末１０は電源を常時オンにしているものとする。カメラ２０は撮影時に電源を入れればよい。
【００１６】
携帯通信端末１０は少なくとも１つの基地局ＢＳを介して移動通信ネットワーク３０に接続してデータ通信可能状態にあり、更に外部のネットワーク４０を通してサーバ５０にアクセス可能である。移動通信ネットワーク３０は例えば携帯電話網であり、ネットワーク４０はＩＰ(Internet Protocol)ネットワークであり、ここではインターネットであるとする。
【００１７】
携帯通信端末１０は、図１に示すように、基地局との無線通信を行うための無線通信部１０１と、端末の位置を検出するための位置検出部１０２とを有する。多くの携帯通信端末には、位置検出手段としてＧＰＳ（Global Positioning System）受信器が搭載されているので、それを位置検出部１０２として用いることができる。
【００１８】
ただし、位置検出部１０２は、ＧＰＳ以外に、基地局ＢＳの位置情報を利用して位置検出を行うこともできる。例えば、携帯通信端末１０が接続している基地局ＢＳの位置情報を当該携帯通信端末の現在位置として取得することも可能である。また、携帯通信端末１０が接続している複数の基地局ＢＳとの距離を電波伝搬遅延を測定することで特定し、それぞれの基地局の位置情報から当該携帯通信端末の現在位置を特定することも可能である。
【００１９】
携帯通信端末１０は、さらに撮影条件データメモリ１０３、報知部１０４、近距離無線通信部１０５、制御部１０６、その他、作業用メモリやプログラム格納メモリ、表示部および操作部などのユーザインタフェースなど（図示せず。）を有する。後述するように、撮影条件データメモリ１０３は、制御部１０６の制御の下で、サーバ５０からダウンロードした撮影条件データ（シャッタ速度、ホワイトバランス、彩度、色調等）を格納する。また報知部１０４は、ユーザが撮影推奨エリアに入ったことをユーザに発光、振動および／または警告音などで知らせるための装置である。したがって、ユーザはカメラ２０の電源をオフにしていても、撮影場所を確認できるし、撮影に必要なデータを取得することができる。近距離無線通信部１０５は、制御部１０６の制御の下で、カメラ２０との無線通信を行う。近距離無線通信としては、無線ＬＡＮやBluetooth（登録商標）などの規格が使用可能である。
【００２０】
カメラ２０には、近距離無線通信部２０１、撮影条件設定部２０２、制御部２０３および撮像制御部２０４が設けられている。制御部２０３は、電源スイッチがオンになると、近距離無線通信部２０１を通して携帯通信端末１０から撮影条件データを自動的に受信し、撮影条件設定部２０２によって撮像制御部２０４にシャッタ速度等の撮影条件が設定される。本実施形態において、カメラ２０に付加される機能としては近距離無線通信部２０１だけであり、ＧＰＳ等の位置検出手段を搭載する必要はない。
【００２１】
サーバ５０には、撮影推奨エリアデータ５０１および撮影条件データ５０２をそれぞれ検索可能に格納したメモリと、エリア判定および撮影条件の決定を行うエリア判定・撮影条件決定部５０３とが設けられている。後述するように、エリア判定・撮影条件決定部５０３は、携帯通信端末１０から受信した位置情報等を用いてエリア判定および撮影条件の決定を行い、撮影条件データを携帯通信端末１０へ返信する。
【００２２】
撮影推奨エリアデータ５０１は、景勝地など、写真の撮影が推奨されるエリアのリストであり、位置情報と関連付けられて保存されている。撮影条件データ５０２は、シャッタ速度、ホワイトバランス、彩度、色調等の撮影条件リストであり、カメラ情報（ユーザが使用するカメラ２０の機種名、機能、性能に関する情報）と撮影条件を決定するのに必要な環境情報（天候、明るさ、太陽や月の方角等）とに関連づけられて保存されている。
【００２３】
エリア判定・撮影条件決定部５０３は、携帯通信端末１０から通知される位置情報を基に当該端末の現在位置と撮影推奨エリアとの地理的関係を判定する。たとえば現在位置が撮影推奨エリア内である、あるいは撮影推奨エリアから所定距離以内の近い場所にいる、と判定すると、ネットワーク４０の所定ウェブサイトから当該撮影推奨エリア付近の環境情報を取得する。さらに、エリア判定・撮影条件決定部５０３は、取得した環境情報と携帯通信端末１０から通知されたカメラ２０のカメラ情報とを用いて撮影条件データ５０２を検索し、当該カメラ２０に設定すべき撮影条件データを決定する。
【００２４】
ただし、撮影推奨エリアデータ５０１および撮影条件データ５０２は、サーバ５０内にて常時保存され更新される情報であってもよいし、サーバ外にて常時保存され更新される情報であってもよい。
【００２５】
１．２）動作
図２は本発明の第１実施形態によるカメラ撮影支援システムにおける動作を示すシーケンス図である。携帯通信端末１０の位置検出部１０２は常時または定期的に測位を行ない、制御部１０６は当該位置データを無線通信部１０１を通して随時サーバ５０へ送信する（ステップ６０１）。ただし、最初に位置データをサーバ５０に通知する際に、ユーザが所有するカメラ２０のカメラ情報（機種名、機能、性能など）を併せて通知しておく。
【００２６】
サーバ５０のエリア判定・撮影条件決定部５０３は、携帯通信端末１０から通知された位置データを用いて撮影推奨エリアデータ５０１を検索し、当該携帯通信端末１０の現在位置が撮影推奨エリア内に入っているかどうか、もしくは近くかどうかを判定する（ステップ６０２のエリア判定）。携帯通信端末１０の現在位置が撮影推奨エリア内に入っている、もしくは近い場合には、ユーザの現在の場所の環境情報（天候、明るさ、太陽や月の方角等）を所定のウェブサイトからネットワーク４０を通して取得する（ステップ６０２の環境情報取得）。そして、エリア判定・撮影条件決定部５０３は、予め通知されたカメラ情報（機種名、機能、性能に関する情報）と環境情報とを用いて撮影条件データ５０２を検索し、当該カメラ２０に設定すべき撮影条件を決定する（ステップ６０２の撮影条件決定）。
【００２７】
続いて、エリア判定・撮影条件決定部５０３は、携帯通信端末１０の現在位置が撮影推奨エリア内に入っているあるいは近くにいると判定した場合には、その旨（エリア判定結果）およびカメラ２０に設定すべき撮影条件（撮影条件データ）を携帯通信端末１０へ返信する。
【００２８】
携帯通信端末１０の制御部１０６は、サーバ５０からエリア判定結果および撮影条件データを受信すると、ユーザに撮影推奨エリアに入ったことあるいは近いことを報知部１０４を駆動して知らせると共に、撮影条件データを撮影条件データメモリ１０３に格納する（ステップ６０３）。これによって、ユーザは、カメラ２０の電源をオフにしていても、撮影スポットに到達すればカメラ撮影を促される。
【００２９】
携帯通信端末１０によりカメラ撮影スポットあるいはその近くに到達したことを通知されると、ユーザはカメラ２０を使用するべく、カメラの電源をオンにする（ステップ６０４）。これによってカメラ２０の制御部２０３は近距離無線通信部２０１を駆動して、携帯通信端末１０の近距離無線通信部１０５との間で接続確立シーケンスを実行する（ステップ６０５）。
【００３０】
カメラ２０の近距離無線通信部２０１と携帯通信端末１０の近距離無線通信部１０５との間で接続が確立すると、携帯通信端末１０の制御部１０６は、撮影条件データメモリ１０３に格納されている撮影条件データを近距離無線通信部１０５を通してカメラ２０へ送信する。近距離無線通信部２０１を通して撮影条件データを受信すると、カメラ２０の制御部２０３は、撮像制御部２０４へ撮影条件データを出力し、撮影条件が自動的に設定される（ステップ６０６）。こうしてユーザは、カメラの電源を入れるだけで、当該撮影推奨エリアにおける現在の状況での最適な撮影条件で撮影を行うことができる（ステップ６０７）。
【００３１】
なお、携帯通信端末１０の制御部１０６は、コンピュータプログラムをＣＰＵ等のプログラム制御プロセッサ上で実行することで上述した携帯通信端末の機能を実現することもできる。
【００３２】
１．３）効果
上述したように、本実施形態によれば、ユーザは、カメラ２０の電源をオンにするだけで、撮影条件の設定が自動的になされたカメラ２０を使用してそのまま写真を撮影することができ、撮影機会を逃すことがなくなる。さらに、ユーザは撮影条件を設定するための明示的な操作なしに、最適な撮影条件で写真を撮影することが可能になる。しかも、このような利点を得るために、カメラ２０の電源をオンする必要はないので、カメラ２０の消費電力を大幅に低減できる。また、カメラ２０に付加される機能としては近距離無線通信機能があればよく、カメラ２０への負荷を大幅に軽減できる。
【００３３】
２．第２実施形態
２．１）構成
図３（Ａ）は本発明の第２実施形態によるカメラ撮影支援システムにおける携帯通信端末の機能的構成を示すブロック図、図３（Ｂ）はサーバの機能的構成を示すブロック図である。本実施形態では、移動局としての携帯通信端末１１がエリア判定を行い、その結果をサーバ５１へ送信することで、サーバ５１から撮影条件データを取得する。なお、図１に示すブロックと同様の機能を有するブロックには同一参照番号を付して説明は省略する。
【００３４】
本実施形態による携帯通信端末１１には、図１における携帯通信端末１０の構成に加えて、エリア判定部１０７が設けられている。エリア判定部１０７は、位置検出部１０２により検出された位置情報を用いてエリア判定を行う。エリア判定部１０７には、上述した撮影推奨エリアデータ５０１と同様のデータが位置情報と関連付けられて保存されている。したがって、エリア判定部１０７は、位置検出部１０２により検出された位置情報を基に撮影推奨エリア内であるか否かを判定することができ、制御部１０６はその結果に基づいて撮影条件データをサーバ５１からダウンロードすることができる。サーバ５１は、図１のサーバ５０と同様にネットワーク４０上に存在するが、撮影推奨エリアデータ５０１を設ける必要はなく、撮影条件データ５０２と撮影条件決定部５０４とを有する。以下、動作を詳述する。
【００３５】
２．２）動作
図４は本発明の第２実施形態によるカメラ撮影支援システムにおける動作を示すシーケンス図である。携帯通信端末１１の位置検出部１０２は常時または定期的に測位を行ない、制御部１０６は当該位置データをエリア判定部１０７へ出力する（ステップ７０１）。
【００３６】
エリア判定部１０７は、位置データを用いて撮影推奨エリアデータを検索し、現在位置が撮影推奨エリア内に入っているかどうか、もしくは近くかどうかを判定する（ステップ７０２）。携帯通信端末１１の現在位置が撮影推奨エリア内に入っている、もしくは近い場合には、制御部１０６は、当該撮影推奨エリア情報とカメラ２０のカメラ情報（機種名、機能、性能など）とを含む撮影条件要求をサーバ５１へ送信する。
【００３７】
サーバ５１の撮影条件決定部５０４は、受信した撮影推奨エリア情報により特定される現在の場所の環境情報（天候、明るさ、太陽や月の方角等）を所定のウェブサイトからネットワーク４０を通して取得する（ステップ７０３の環境情報取得）。そして、撮影条件決定部５０４は、受信したカメラ情報（機種名、機能、性能に関する情報）と環境情報とを用いて撮影条件データ５０２を検索し、当該カメラ２０に設定すべき撮影条件を決定する（ステップ７０３の撮影条件決定）。そして、撮影条件決定部５０４は、カメラ２０に設定すべき撮影条件（撮影条件データ）を携帯通信端末１１へ返信する。
【００３８】
携帯通信端末１１の制御部１０６は、サーバ５１から撮影条件データを受信すると、ユーザに撮影推奨エリアに入ったことあるいは近いことを報知部１０４を駆動して知らせると共に、撮影条件データを撮影条件データメモリ１０３に格納する（ステップ７０４）。これによって、ユーザは、カメラ２０の電源をオフにしていても、撮影スポットに到達すればカメラ撮影を促される。
【００３９】
携帯通信端末１１によりカメラ撮影スポットあるいはその近くに到達したことを通知されると、ユーザはカメラ２０を使用するべく、カメラの電源をオンにする（ステップ７０５）。これによってカメラ２０の制御部２０３は近距離無線通信部２０１を駆動して、携帯通信端末１１の近距離無線通信部１０５との間で接続確立シーケンスを実行する（ステップ７０６）。
【００４０】
カメラ２０の近距離無線通信部２０１と携帯通信端末１１の近距離無線通信部１０５との間で接続が確立すると、携帯通信端末１１の制御部１０６は、撮影条件データメモリ１０３に格納されている撮影条件データを近距離無線通信部１０５を通してカメラ２０へ送信する。近距離無線通信部２０１を通して撮影条件データを受信すると、カメラ２０の制御部２０３は、撮像制御部２０４へ撮影条件データを出力し、撮影条件が自動的に設定される（ステップ７０７）。こうしてユーザは、カメラの電源を入れるだけで、当該撮影推奨エリアにおける現在の状況での最適な撮影条件で撮影を行うことができる（ステップ７０８）。
【００４１】
なお、携帯通信端末１１の制御部１０６は、コンピュータプログラムをＣＰＵ等のプログラム制御プロセッサ上で実行することで上述した携帯通信端末の機能を実現することもできる。
【００４２】
２．３）効果
上述したように、本実施形態では、携帯通信端末１１がエリア判定を行い、その結果をサーバ５１へ送信することでサーバ５１から撮影条件データを取得する。このように構成しても、上述した第１実施形態と同様の効果を得ることができる。
【００４３】
３．第３実施形態
３．１）構成
図５は本発明の第３実施形態によるカメラ撮影支援システムにおける携帯通信端末の機能的構成を示すブロック図である。本実施形態では、移動局としての携帯通信端末１２がエリア判定および撮影条件決定を行い、エリア判定あるいは撮影条件決定のための特定のサーバを必要としない。なお、図３（Ｂ）に示すブロックと同様の機能を有するブロックには同一参照番号を付して説明は省略する。
【００４４】
本実施形態による携帯通信端末１２には、図３（Ｂ）に示す携帯通信端末１１の構成に加えて、撮影条件決定部１０８が設けられている。上述したように、エリア判定部１０７は、上述した撮影推奨エリアデータ５０１と同様のデータが位置情報と関連付けられて保存されており、位置検出部１０２により検出された位置情報を基に撮影推奨エリア内であるか否かを判定する。さらに、撮影条件決定部１０８は、図１における撮影条件データ５０２と同様のデータを保持しており、撮影推奨エリア内であれば、そのエリアの現在の環境に適した撮影条件データを決定することができる。以下、動作を詳述する。
【００４５】
３．２）動作
図６は本発明の第３実施形態によるカメラ撮影支援システムにおける動作を示すシーケンス図である。携帯通信端末１２の位置検出部１０２は常時または定期的に測位を行ない、制御部１０６は当該位置データをエリア判定部１０７へ出力する（ステップ８０１）。
【００４６】
エリア判定部１０７は、位置データを用いて撮影推奨エリアデータを検索し、現在位置が撮影推奨エリア内に入っているかどうか、もしくは近くかどうかを判定する（ステップ８０２）。携帯通信端末１２の現在位置が撮影推奨エリア内に入っている、もしくは近い場合には、制御部１０６は、当該撮影推奨エリア情報を含む環境データ要求をインターネットの特定サーバあるいは検索サイトへ送信し、現在位置の環境データ（天候、明るさ、太陽や月の方角等）を受信する。また、制御部１０６は、ユーザに撮影推奨エリアに入ったことあるいは近いことを報知部１０４を駆動して知らせる（ステップ８０３）。
【００４７】
環境データを取得すると、撮影条件決定部１０８は、カメラ２０のカメラ情報（機種名、機能、性能に関する情報）と環境データとを用いて撮影条件データを検索し、当該カメラ２０に設定すべき撮影条件を決定し、撮影条件データメモリ１０３に格納する（ステップ８０４）。
【００４８】
また、報知部１０４による報知によって、ユーザは、カメラ２０の電源をオフにしていても、撮影スポットに到達すればカメラ撮影を促される。携帯通信端末１２によりカメラ撮影スポットあるいはその近くに到達したことを通知されると、ユーザはカメラ２０を使用するべく、カメラの電源をオンにする（ステップ８０５）。これによってカメラ２０の制御部２０３は近距離無線通信部２０１を駆動して、携帯通信端末１１の近距離無線通信部１０５との間で接続確立シーケンスを実行する（ステップ８０６）。
【００４９】
カメラ２０の近距離無線通信部２０１と携帯通信端末１２の近距離無線通信部１０５との間で接続が確立すると、携帯通信端末１２の制御部１０６は、撮影条件データメモリ１０３に格納されている撮影条件データを近距離無線通信部１０５を通してカメラ２０へ送信する。近距離無線通信部２０１を通して撮影条件データを受信すると、カメラ２０の制御部２０３は、撮像制御部２０４へ撮影条件データを出力し、撮影条件が自動的に設定される（ステップ８０７）。こうしてユーザは、カメラの電源を入れるだけで、当該撮影推奨エリアにおける現在の状況での最適な撮影条件で撮影を行うことができる（ステップ８０８）。
【００５０】
なお、携帯通信端末１２の制御部１０６は、コンピュータプログラムをＣＰＵ等のプログラム制御プロセッサ上で実行することで上述した携帯通信端末の機能を実現することもできる。
【００５１】
３．３）効果
上述したように、本実施形態では、携帯通信端末１２がエリア判定および撮影条件決定を行い、撮影条件データを自動設定する。このように構成しても、上述した第１実施形態と同様の効果を得ることができる。
【産業上の利用可能性】
【００５２】
本発明は、近距離無線通信によりカメラと通信可能な携帯通信端末であって位置検出機能を有するものに適用可能である。
【図面の簡単な説明】
【００５３】
【図１】本発明の第１実施形態によるカメラ撮影支援システムの全体的な構成を概略的に示すブロック図である。
【図２】本発明の第１実施形態によるカメラ撮影支援システムにおける動作を示すシーケンス図である。
【図３】（Ａ）は本発明の第２実施形態によるカメラ撮影支援システムにおける携帯通信端末の機能的構成を示すブロック図、（Ｂ）はサーバの機能的構成を示すブロック図である。
【図４】本発明の第２実施形態によるカメラ撮影支援システムにおける動作を示すシーケンス図である。
【図５】本発明の第３実施形態によるカメラ撮影支援システムにおける携帯通信端末の機能的構成を示すブロック図である。
【図６】本発明の第３実施形態によるカメラ撮影支援システムにおける動作を示すシーケンス図である。
【符号の説明】
【００５４】
１０、１１、１２  携帯通信端末
２０  カメラ
３０  移動通信ネットワーク
４０  ネットワーク
５０、５１  サーバ
１０１  無線通信部
１０２  位置検出部
１０３  撮影条件データメモリ
１０４  報知部
１０５  近距離無線通信部
１０６  制御部
１０７  エリア判定部
１０８  撮影条件決定部
２０１  近距離無線通信部
２０２  撮影条件設定部
２０３  制御部
２０４  撮像制御部
５０１  撮影推奨エリアデータ
５０２  撮影条件データ
５０３  エリア判定・撮影条件決定部
５０４  撮影条件決定部
【図１】
2010130037.tif 000003
【図２】
2010130037.tif 000004
【図３】
2010130037.tif 000005
【図４】
2010130037.tif 000006
【図５】
2010130037.tif 000007
【図６】
2010130037.tif 000008